(57)【要約】【課題】  従来あおり補正を行う画像処理装置においては、適切な補正処理を自動的に判断して切り替えることはできないという問題があった。そこで、撮影画像に応じて適切な補正処理を自動的に判断し、切り替えて処理を行うことを可能とする。【解決手段】  本発明に係る画像処理装置では、被写体までの距離、レンズの焦点距離といった各種撮影条件を画像ファイルの中に記録する、いわゆるＥｘｉｆ情報を利用して、あおり補正の手法を切り替えられるようにした。【選択図】        図１
2006163497.tif 000002
【特許請求の範囲】
【請求項１】
インクジェット記録装置において、画像ファイルと共に記録された撮影条件に基づいて、複数のあおり補正方法を切り替えることを特徴とする画像処理装置。
【請求項２】
請求項１に記載の画像処理装置において、画像ファイルと共に記録された撮影条件とは撮影装置から被写体までの距離であることを特徴とする画像処理装置。
【請求項３】
請求項１に記載の画像処理装置において、画像ファイルと共に記録された撮影条件とは撮影装置のレンズの焦点距離であることを特徴とする画像処理装置。
【請求項４】
請求項１に記載の画像処理装置において、画像ファイルと共に記録された撮影条件とは撮影装置が縦位置で撮影したか横位置で撮影したかを示す情報であることを特徴とする画像処理装置。
【請求項５】
請求項１に記載の画像処理装置において、画像ファイルと共に記録された撮影条件とは、Ｅｘｉｆ情報であることを特徴とする画像処理装置。
【請求項６】
請求項４に記載の画像処理装置において、撮影装置が縦位置で撮影したか横位置で撮影したかを示す情報により、縦位置で撮影したことが判明した場合には、撮影画像を９０度回転させることを特徴とする画像処理装置。
【請求項７】
請求項１に記載の画像処理装置において、複数のあおり補正方法とは、少なくとも画像の縦方向の特徴線を求め、求められた複数の特徴線を各々平行となるように、画像を幾何学的に変換する方法であることを特徴とする画像処理装置。
【請求項８】
請求項１に記載の画像処理装置において、複数のあおり補正方法とは、少なくとも画像の縦横方向の特徴線を求め、求められた特徴線が台形である場合に、これを長方形となるように画像を幾何学的に変換する方法であることを特徴とする画像処理装置。
【発明の詳細な説明】
【技術分野】
【０００１】
本発明は画像処理装置に関し、特にデジタルカメラで撮影した画像を出力するカラーインクジェット記録装置のカラー画像処理装置に関わる。
【背景技術】
【０００２】
近年、カラーインクジェット記録装置においては、インクの小液滴化に伴い高精細な画像の記録が可能となった。また、デジタルカメラにおいても撮像素子の高密度化が進み、従来の銀塩写真と比較しても遜色の無い画像が撮影可能となって来ている。
【０００３】
これらの状況から、現在ではユーザーが気軽にデジタルカメラにより撮影した画像を、カラーインクジェット記録装置により印刷することが可能となった。
【特許文献１】特開平１１−９６３４６号公報
【特許文献２】特開２０００−３４１５０１号公報
【特許文献３】特開平０８−１１６４９０号公報
【特許文献４】特開２０００−０１３５９６号公報
【特許文献５】特開２００３−２４４５２８号公報
【発明の開示】
【発明が解決しようとする課題】
【０００４】
しかしながら、撮影画像の中には建築写真や接写画像のように、被写体面と撮像面との間が平行に保たれないと、あおり補正を行わなければならない画像が存在する。
【０００５】
例えば、図３はあおり補正が必要な建築写真の例であり、建物の上方向が不自然にゆがんでいるのがわかる。
【０００６】
図４は、画像処理によりあおり補正を行った例であり、建物の垂直線が平行に補正されていることがわかる。
【０００７】
また、特許文献１においては、台形ひずみを補正する方法が開示されており、例えば紙原稿を接写する場合などに発生するひずみに対して、あおり補正を行う方法が開示されている。
【０００８】
図５は紙原稿を接写撮影した場合に台形ひずみが生じた画像を模式的に表した図であり、あおり補正を行うことにより図６のように補正される。
【０００９】
あおり補正に関しては、上記技術のみならず、特許文献２、特許文献３、特許文献４、特許文献５等で多くの技術が開示されているが、撮影画像そのものに対して特徴抽出等の画像処理を行ってあおり角等を求め、これに従って補正を行ったり、撮影時に求めたあおり角情報に基づいて補正を行うものがほとんどであり、あおり補正をどういう場合に行えばよいのかを自動的に判断することはできなかった。
【００１０】
例えば、図３のような画像に対して、図６に対して行った補正をかけると一見うまくいくように見えるが、台形ひずみを補正するだけでは例えば図７のように不自然な画像となってしまう場合があった。
【００１１】
これは、画像がどのような条件で撮影されたかに関係なく、単に画像の特徴抽出によってのみ補正を行うことに起因する。
【００１２】
本発明は、以上の点に着目して成されたもので、撮影条件に応じて自動的にあおり補正の手法を切り替えて、精度のよい補正を行うことが可能な画像処理装置を提供することを目的とする。
【課題を解決するための手段】
【００１３】
上記課題を解決するために本発明においては、被写体までの距離、レンズの焦点距離といった各種撮影条件を画像ファイルの中に記録する、いわゆるＥｘｉｆ情報を利用してあおり補正の手法を切り替えられるようにした。
【００１４】
なお、さらに詳細に説明すれば、本発明は下記の構成によって前記課題を解決できた。
【００１５】
（１）インクジェット記録装置において、画像ファイルと共に記録された撮影条件に基づいて、複数のあおり補正方法を切り替えることを特徴とする画像処理装置。
【発明の効果】
【００１６】
以上のような構成をとることにより、撮影条件に応じて自動的にあおり補正の手法を切り替えて、精度のよい補正を行うこと可能となった。
【発明を実施するための最良の形態】
【００１７】
以下本発明を実施するための最良の形態を、実施例により詳しく説明する。
【実施例１】
【００１８】
図１は第１の実施例による記録装置６の要部の構成を示すブロツク図である。
【００１９】
同図において、１は記録装置におけるＣＰＵ、２は記録装置を制御するためのプログラムの格納されたＲＯＭ、３は各種プログラムのワークエリアとして用いるＲＡＭ、４は記録装置とホスト装置あるいはデジタルカメラとの間で画像データの受け渡しを行うインタフェース手段をそれぞれ示している。
【００２０】
図２は本実施例におけるプログラムの動作を示すフローチャートである。
【００２１】
まず、記録装置６はホスト装置あるいはデジタルカメラ７から印刷すべき画像（本実施例においてはＥｘｉｆイメージファイルを想定している）をインタフェース４を介して受け取ると、ファイルに記述されている各種情報を解析する。
【００２２】
まず、Ｓｔｅｐ１においては、Ｅｘｉｆイメージファイルに記述されているＥｘｉｆ情報からカメラから被写体までの距離情報を取得し、距離が離れていれば、建築写真である可能性は高いとして、Ｓｔｅｐ２へと進む。
【００２３】
一方、距離が近い場合には紙原稿を接写した可能性が高いとしてＳｅｔｐ６へと進む。
【００２４】
Ｓｔｅｐ２においては、同様に撮影カメラの焦点距離取得し解析する。
【００２５】
通常、広角レンズを使った場合、建築写真など撮影する場合にはひずみが大きくなるので、例えば３５ｍｍフィルム換算で望遠レンズ（例：１３５ｍｍ）以下の焦点距離であれば、あおり補正をすべきで条件の１つは満たされるものとしてＳｔｅｐ３に進む。
【００２６】
さらに、Ｓｔｅｐ３においてはＥｘｉｆ情報から撮影時のカメラの位置が縦位置か横位置かの情報を得、その情報に基づいて縦位置での撮影であれば、以降の処理が同一となるようにＳｔｅｐ４に進んで画像全体を９０度回転する。なお、本実施例では図示しないが、Ｓｔｅｐ４で９０度回転を行った場合には、Ｓｔｅｐ５の第１のあおり補正を行った後で、反対方向に９０度回転して、元の画像位置に戻してもよい。
【００２７】
さらに、Ｓｔｅｐ５に進んで第１のあおり補正を行う。
【００２８】
ここで、第１のあおり補正とは、縦方向の特徴線を抽出し、検出された特徴線がそれぞれ平行となるような幾何学的な補正を行うものであり、水平方向に対しては補正は行わない。
【００２９】
これにより、図４で示したようなあおり補正が実行できる。
【００３０】
一方Ｓｔｅｐ１において、カメラから被写体までの距離が近いと判断された場合には、Ｓｔｅｐ６に進みＳｔｅｐ２と同様に撮影カメラの焦点距離取得し解析し、焦点距離が長くなければＳｔｅｐ７に進む。ここで、判断基準としている焦点距離はＳｔｅｐ２のものと異なってもかまわない。
【００３１】
Ｓｔｅｐ７においては第２のあおり補正を実行する。ここで第２のあおり補正とは、例えば縦横方向の特徴線を求め、求められた特徴線が台形である場合に、これを長方形となるように画像を幾何学的に変換する方法である。
【００３２】
これにより原稿の台形ひずみを補正する。
【産業上の利用可能性】
【００３３】
本発明はインクジェット記録装置に関し、特にデジタルカメラで撮影した画像を出力するカラーインクジェット記録装置での利用を考えているが、カラーインクジェット記録装置に限らず、撮影時の条件を利用可能な画像処理装置であればどのような装置であっても利用可能である。
【図面の簡単な説明】
【００３４】
【図１】本発明の第１の実施例の画像処理装置を示すブロック図である。
【図２】本発明の第１の実施例の画像処理の流れを示すフローチャートである。
【図３】本発明の第１の補正処理を解説するための説明図である。
【図４】本発明の第１の補正処理を解説するための説明図である。
【図５】本発明の第２の補正処理を解説するための説明図である。
【図６】本発明の第２の補正処理を解説するための説明図である。
【図７】誤った補正を解説するための説明図である。
【符号の説明】
【００３５】
１    ＣＰＵ
２    ＲＯＭ
３    ＲＡＭ
４    インタフェース
５    バス
６    記録装置
７    ホスト装置あるいはデジタルカメラ
【図１】
2006163497.tif 000003
【図２】
2006163497.tif 000004
【図５】
2006163497.tif 000005
【図６】
2006163497.tif 000006
【図３】
2006163497.tif 000007
【図４】
2006163497.tif 000008
【図７】
2006163497.tif 000009